(57)【要約】【課題】  テーブルスタンド、フロアスタンド、和風スタンド、あんどん等々の照明装置のシェード４、グローブ２１にスピーカー機能を持たせ、音楽、映像等々のメディアの音声信号を手軽にＢＧＭとして活用でき、前記シェード４、前記グローブ２１の周囲３６０度で音圧がほぼ均一な音場を形成して、簡便、軽量、小スペースで設置でき、スピーカーＢＯＸのように設置場所を選ばない音源装置を提供すること。【解決手段】  光源と、シェード４、またはグローブ２１を有し、前記光源には筒１２の任意の位置にＬＥＤ１３を設け、音声帯域周波数の音声信号に応じた変位を発生させる磁歪アクチュエータ１０を設け、前記シェード４または前記グローブ２１に前記磁歪素子より発生した振動を伝達し、前記シェード４または前記グローブ２１のいずれかが振動することにより音声を発生させる。【選択図】図１
2009141924.tif 000002
【特許請求の範囲】
【請求項１】
光源と、シェードまたはグローブを有する照明装置に於いて、音声帯域周波数の振動を発生するアクチュエータを有し、前記アクチュエータの外部に振動を取り出す振動子から前記シェードまたは前記グローブに振動を伝達して音声を発することを特徴とした音声発生照明装置。
【請求項２】
前記光源がＬＥＤまたはＥＬであることを特徴とする、請求項１に記載された音声発生照明装置。
【請求項３】
前記音声発生照明装置に於いて、振動伝達部を有し、前記振動伝達部は前記振動子と、前記シェードまたは前記グローブに接触もしくは接合され、前記振動子より発生する音声帯域周波数の振動を前記シェードまたは前記グローブのいずれかに伝達し振動させることにより音声を発する、請求項１または請求項２に記載された音声発生照明装置。
【請求項４】
前記音声発生照明装置に於いて、電球口金型または電源プラグ型またはシーリング取り付け型またはダクトレール用接続型のいずれかの電源供給部を有することを特徴とする、請求項１乃至請求項３に記載された音声発生照明装置。
【請求項５】
前記アクチュエータの振動素子は磁歪素子または電歪素子であることを特徴とする、請求項１乃至請求項４に記載された音声発生照明装置。
【請求項６】
前記振動伝達部の長さが調節可能であることを特徴とする、請求項３乃至請求項５に記載された音声発生照明装置。
【請求項７】
前記振動伝達部が板状または針金状であり、撓ませることにより前記シェードまたは前記グローブのいずれかまたはアクチュエータに接触または接合させることを特徴とする、請求項３乃至請求項６に記載された音声発生照明装置。
【発明の詳細な説明】
【技術分野】
【０００１】  本発明は照明装置の電気スタンドとしての機能を有すると共に、音声帯域周波数の音声信号をアクチュエータにより音声振動に変換し、前記電気スタンドのシェードまたはグローブを振動させるスピーカーとしての機能を有する音声発生照明装置に関する。
【背景技術】
【０００２】  前記振動素子である磁歪素子は音声信号を磁界に変換する事で、磁界印加に応じた変位を発生させて外部を振動させる、いわゆる磁界を受けると物質の形状が変化する現象は磁歪現象として一般に知られている。【０００３】  近年開発された磁歪材料は、磁界中で磁界方向に１５００〜２０００ｐｐｍもの大変位を生じ、その発生応力が４００ｋｇｆ／ｍｍ２以上と大きい磁歪アクチュエータも開発されている。また応答速度も速く、低電圧で駆動することができるなどの利点があるため、この磁歪材料の電気量を寸法変化量に変換したり、寸法変化量を振動量に変換するアクチュエータやスピーカーの駆動源として利用することが近年盛んに試みられている。【０００４】  磁歪材料を利用した磁歪アクチュエータに関するものは、以下の文献に記載されているもの等々が公知である。
【特許文献１】特開２００６−１６５４８３
【特許文献２】特開２００６−２０３５９０
【特許文献３】特開２００７−２９４５１７
【特許文献４】特開２００５−２５３１２９
【０００５】  また、電歪素子は、音声電圧をこの電歪素子に印加する事で外部を振動させる、いわゆる物質に電圧を加えると歪む、或いは変形する現象として一般に知られている。【０００６】  また、電歪材料は機械的共振点が高いため、超音波の発生素子、超精密位置決め素子、ライターの着火素子などとして、または機械分野ではさまざまな形態のアクチュエ−タとしてよく使用されている。【０００７】  電歪材料を利用した電歪アクチュエータに関するものは、以下の文献に記載されているもの等々が公知であるが、スピーカーに関する文献は見当たらなかった。
【特許文献１】特開平１１−１３６９６５
【特許文献２】特開平１１−１４６６６４
【特許文献３】特開２００３−０６９１０６
【０００８】  また、これらの振動素子を利用したスピーカーに関するものは、磁歪材料を利用した以下の文献に記載されているものが公知である。
【特許文献１】特開平２００７−１５８７５２号公報
【特許文献２】特開平１０−１４５８９２号公報
【発明の開示】
【発明が解決しようとする課題】
【０００９】  ホテルの部屋や廊下、家庭の居間や寝室、近年はさらにオフィスなどにおいてＢＧＭ（バックグラウンドミュージック）を聞くことが多い。
しかしこのような音声を発生するためにはスピーカー装置を床に設置するか、壁や天井に取り付け工事をする他なかった。特にスピーカーの指向性を考慮した場所を確保するのは難しく、音響特性としては不十分なところに設置せざるを得ないことも多かった。
本発明は建物の内部には必ずある照明装置のシェードやグローブから音声を発生する事により、設置のために特別なスペースや工事を必要とせず、気軽にＢＧＭやアナウンスなどを鳴らすことができる音声発生照明装置を実現することを目的とする。
【課題を解決するための手段】
【００１０】  ホテルの部屋や廊下、家庭の居間や寝室、オフィスなどには必ず何らかの照明装置が用いられている。
これら照明装置のシェードやグローブは一定の表面積をもち、それを音声帯域の周波数で振動させればスピーカーの代わりになる。
本発明に係る音声発生照明装置の構成は次の（１）〜（７）に記載のもの等の手段が考えられる。【００１１】（１）光源と、シェードまたはグローブを有する照明装置に於いて、音声帯域周波数の振動を発生するアクチュエータを有し、前記アクチュエータの外部に振動を取り出す振動子から前記シェードまたは前記グローブに振動を伝達し、前記シェードまたは前記グローブを振動させるスピーカー機能を有することを特徴とした音声発生照明装置。【００１２】（２）前記光源はＬＥＤまたはＥＬであり、使用時に白熱電球または蛍光灯のように温度上昇がなく、アクチュエータおよび付帯回路に熱による負担が軽減できることを特徴とする音声発生照明装置。【００１３】（３）前記音声発生照明装置に於いて、振動伝達部を有し、前記振動伝達部は前記振動子と前記シェードまたは前記グローブのいずれかに接触もしくは接合され、前記振動子より発生する音声帯域周波数の振動を前記シェードまたは前記グローブのいずれかに効率よく伝達し振動させることにより音声を発する音声発生照明装置。【００１４】（４）前記音声発生照明装置に於いて、電球口金型または電源プラグ型またはシーリング取り付け型またはダクトレール用接続型のいずれかの電源供給部を有することを特徴とする音声発生照明装置。【００１５】（５）前記アクチュエータの振動素子は磁歪素子または電歪素子であることを特徴とする音声発生照明装置。【００１６】（６）前記振動伝達部の長さが前記シェードまたは前記グローブの大きさまたは形状に合わせ調節可能であることを特徴とする音声発生照明装置。【００１７】（７）前記振動伝達部は板状または針金状であり、撓ませることにより前記シェードまたは前記グローブのいずれかまたはアクチュエータに接触または接合させることで、前記アクチュエータの振動を前記シェードまたは前記グローブに効率よく伝達して音声を発することを特徴とする音声発生照明装置。
【発明の効果】
【００１８】  本発明を実施することにより、建物の内部には必ずある照明装置のシェードやグローブから音声を発生する事ができ、設置のために特別なスペースや工事を必要とせず、気軽にＢＧＭやアナウンスなどを鳴らすことができる音声発生照明装置を実現することが可能となる。【００１９】  請求項１記載の発明を実施することにより、例えば家庭或いはホテルの部屋に設けられた電気スタンド或いはテーブルスタンドに於いて、照明装置と、スピーカーの、二つの機構を備えた音声発生照明装置を実現することが可能となる。【００２０】  請求項２記載の発明を実施することにより、光源を温度上昇が少ない前記ＬＥＤまたは前記ＥＬにすることにより白熱電球、蛍光灯等の光源に比べ温度上昇を抑える事が可能になり、前記アクチュエータまたは付帯回路の熱による負担を軽減できる効果がある。【００２１】  請求項３記載の発明を実施することにより、前記音声発生照明装置に於いて振動伝達部を設け、前記振動伝達部は前記振動子と、前記シェードまたは前記グローブに接触もしくは接合されることで、前記シェードまたは前記グローブが任意の形状であっても、前記アクチュエータの振動素子より発生した音声帯域周波数の音声振動が前記振動伝達部を介して前記シェードまたは前記グローブに効率よく伝達して音声を発する効果がある。【００２２】  請求項４記載の発明を実施することにより、前記光源が電球口金型または電源プラグ型またはシーリング取り付け型またはダクトレール用接続型のいずれかの電源供給部を有するので、特別な加工または工事をしなくても、従来の電気スタンドの電球に代え取り付けたり、天井または壁面に取り付けることが可能となる。【００２３】  請求項５記載の発明を実施することにより、前記音声帯域周波数の音声信号を振動に変換するアクチュエータとして、音声信号を磁界に変換し磁界の強さに応じた変位を発生させて外部を振動させる磁歪素子を用いるか、または音声信号を電圧に変換し印加する事で外部を振動させる電歪素子を用いる事により、効率よい、小型の装置が実現可能となる。【００２４】  請求項６記載の発明を実施することにより、前記シェードまたは前記グローブの大きさ或いは形状に合わせ前記振動伝達部の長さが調節可能になり、任意の形状のシェードやグローブに対応する事が出来るようになった。【００２５】  請求項７記載の発明を実施することにより、前記振動伝達部を板状または針金状にして、撓ませ、撓みの反発力を利用し前記シェードまたは前記グローブのいずれかまたは振動子に接触または接合させることで、前記アクチュエータの振動を撓ませた振動伝達部を介して前記シェードまたは前記グローブに効率よく伝達して音声を発するスピーカー機能を、簡単な構造で、部品点数も少なく、組み立てやすく実現することが可能となる。
【発明を実施するための最良の形態】
【００２６】  以下図１より図１２に基づき本発明による照明装置の好適な実施形態を説明する。
【実施例１】
【００２７】  実施例では、最近盛んに研究され音源装置として本装置に適した磁歪素子をアクチュエータに用いた例を説明する。
ただし磁歪アクチュエータの構造説明は公知の技術として省いた。【００２８】（第一実施形態）
図１は、本発明に係る照明装置の電気スタンド１で、前記磁歪アクチュエータ１０を利用して前記電気スタンド１のシェード４またはグローブ２１をスピーカーとして機能させた一部断面説明図である。
電気スタンド１の光源で、必要に応じて筒１２の適切な任意の位置にＬＥＤ１３を設け、前記筒１２の内部に音楽、映像等々のメディアの音声信号を受け、前記音声信号を磁界に変換し、前記磁界の強さに応じた変位を発生させる磁歪アクチュエータ１０を設け、必要に応じて前記磁歪アクチュエータ１０を駆動させるための付帯回路を設けて形成し、前記光源及び付帯回路に供給する電源を供給する事及び前記筒１２を固定するために、電球口金型電源供給部７を設けることで、コンパクトに形成されたＬＥＤ照明装置Ａを構成し、既存の白熱電球２２用の電気スタンド１に着脱が可能となり、前記光源を取り付けるための加工または工事を不要にすることができる。【００２９】  また、図１では、前記磁歪アクチュエータ１０にて変換された音声振動を伝達するための振動伝達部は、板状の撓ませた金属線１４であり、前記シェード４及び振動子１１を前記振動伝達部を撓ませた事による復元力で接触させることで、前記磁歪素子により発生した振動が前記振動伝達部を介して伝達され、前記シェード４に効率よく伝達されて、前記シェード４が振動することにより音声を発する。
【他の実施例】
【００３０】  また、前記シェード４または前記グローブ２１が布または紙等の張りの弱い素材で作られている場合には、前記シェード４または前記グローブ２１の形状を維持するためのアーム５が設けられているが、前記アーム５が設けられている場合、前記振動伝達部は前記アーム５及び振動子１１に接触または接合して設けることで、前記アーム５から前記シェード４または前記グローブ２１のいずれかに効率よく音声振動が伝達されて、前記シェード４または前記グローブ２１或いは前記アーム５のいずれかかが振動することにより音声を発する同様の効果がある。
【００３１】  前記振動伝達部は、板状のまたは針金状の金属線であり、撓ませた金属線または直線金属線或いはくの字形金属線もしくはその他の形状の金属線であっても良く、または他の素材で板状のまたは針金状の線であっても同様の効果がある。
【００３２】  ＥＬは、エレクトロ・ルミネッセンスの略称で、特殊な発光材料を薄い絶縁膜でサンドイッチにしたもので、この絶縁膜の両側に交流の電圧をかけるとこの特殊な半導体材料は面全体が発光するため広範囲を照らし、また非常に薄くコンパクトで発光による温度の上昇は皆無に等しい。
発光材料には無機化合物を用いる無機ＥＬ素子と有機化合物を用いた有機ＥＬ素子があり、従来のディスプレイと比較して、明るく鮮明、視野角が広い、薄型など優れた特徴をもった自発光型の新世代ディスプレイとして注目されている。
【００３３】  前記シェード４または前記グローブ２１は、テーブルスタンド、フロアスタンド、和風スタンド、あんどんまたは提灯のように木製、布製、紙製、陶器製、ガラス製、樹脂製或いは他の素材でも同様に音声帯域周波数の振動により音声を発する効果がある。
【００３４】  また、前記布、紙等、素材そのものが柔らかく音源として活用し難いものには樹脂、糊、塗装、漆或いはその他の素材を含浸または塗布して硬度を増すことで前記シェード４または前記グローブ２１が音声帯域周波数の振動により音声を発する効果がある。
【００３５】  また前記シェード４または前記グローブ２１の形状は、直方体・立方体・四角錐・三角柱・三角錐・三角錐台・円柱・円錐台・球・半球・正五角形・正六角形或いは提灯のようにデザイン性のある他の形状の前記シェード４または前記グローブ２１でも同様の効果がある。
【００３６】  また、前記ＬＥＤ照明装置Ａの筒１２内部または駆動回路内部または適切な任意の位置にプルスイッチを設け、音声信号入力コード１６を引くことにより前記プルスイッチの電源ＯＮ、ＯＦＦの機能を兼ね合わせることにより、プルスイッチの紐を省略することが出来、外観上すっきりする効果がある。
【００３７】  図２は、図１の光源の一部断面説明図で、前記光源は必要に応じて筒１２の適切な任意の位置にＬＥＤ１３を設け、前記筒１２の内部に音楽、映像等々のメディアの音声信号を受け、前記音声信号を磁界に変換し、前記磁界の強さに応じた変位を発生させる磁歪アクチュエータ１０を設け、必要に応じて前記磁歪アクチュエータ１０の前記磁歪素子を駆動させるための付帯回路を設けて形成し、前記光源に電球口金型電源供給部７を設けたことで、非常にコンパクトに形成されたことを特徴とするＬＥＤ照明装置Ａである。
【００３８】  図３は、図１の本発明に係る斜視説明図で、前記磁歪アクチュエータ１０の磁歪素子にて変換された音声振動を効率よく伝達するための振動伝達部である板状の撓ませた金属線１４を前記シェード４または前記グローブ２１のいずれかまたは振動子１１に接触または接合して設けることで、前記シェード４または前記グローブ２１のいずれかに効率よく音声振動が伝達されて、前記シェード４または前記グローブ２１のいずれかかが振動することにより音声を発する効果がある。
（第二実施形態）
【００３９】  図４は、振動伝達部の斜視説明図で、前記磁歪アクチュエータ１０にて変換された音声振動を効率よく伝達するための振動伝達部である板状の撓ませた金属線１４と前記振動子１１を接触または接合して設け、前記板状の撓ませた金属線１４と前記振動子１１との接触または接合した部位にキャップ１８を覆い被せて設けたことを特徴とした照明装置である。
【００４０】  また、前記キャップ１９の材質または形状または大きさを変えることで、前記磁歪アクチュエータ１０にて変換された音声振動は前記シェード４または前記グローブ２１にて音声を発する音質、音量を変化させることが可能としたことを特徴とする照明装置である。
【００４１】  また、前記キャップ１９の材質または形状または大きさを変えることで、前記磁歪アクチュエータ１０にて変換された音声振動は前記シェード４または前記グローブ２１と同様にキャップ１９が音声を発することを特徴とする照明装置である。
【００４２】  図５は、図４の斜視説明図で、前記シェード４または前記グローブ２１の大きさまたは形状に合わせ、前記振動伝達部の長さを調節可能とするためのアジャスター１７を設け、前記アジャスター１７に前記振動伝達部を固定するためのアジャスター固定ネジ１８或いはアジャスター１７を固定するためのロック機能を設け、大きさの異なる前記シェード４または前記グローブ２１に対応可能としたことを特徴とする照明装置である。
【００４３】  図６は、前記振動伝達部である針金状の直線金属線２０を前記シェード４または前記グローブ２１のいずれかまたは振動子１１に接触または接合して設けることで、前記シェード４または前記グローブ２１のいずれかに効率よく伝達されて、前記シェード４または前記グローブ２１のいずれかかが振動することにより音声を発する効果がある。
【００４４】  図７は、本発明の、照明装置のブロック図。
（音声信号入力）
音楽、映像、放送等々の各メディアから出力される音声信号入力。
（駆動回路）
磁歪アクチュエータ１０を十分に駆動させるに必要な音声信号を出力するための音声信号増幅回路。
（電源回路）
音声増幅回路等の電力供給回路。
（アクチュエータ）
入力された音声信号を磁歪アクチュエータ１０にて駆動力に変換し、音声信号を振動として発生させる。
（振動伝達部）
磁歪アクチュエータ１０において音声信号を振動として変換された振動を前記シェード４または前記グローブ２１或いはアーム５のいずれかに伝達する役割。
（シェード・グローブ）
振動伝達部より伝達された音声振動を音として発するスピーカーの役割を担う。
【００４５】（第三実施形態）
図８は、図６に於いて設けた前記振動伝達部である針金状の直線金属線２０を設けずに、前記シェード４または前記グローブ２１または前記アーム５のいずれかまたは振動子１１に直接接触または接合して設けることで、前記シェード４または前記グローブ２１のいずれかが振動することにより効率よく音声を発する効果がある。
【００４６】（第四実施形態）
図９は、前記ＬＥＤ照明装置Ａ全体を前記グローブ２１の中に収納し、前記振動伝達部である針金状の直線金属線２０を前記グローブ２１または振動子１１に接触または接合して設けることで、磁歪アクチュエータ１０にて発生した振動は前記ＬＥＤ照明装置Ａ全体を覆った前記グローブ２１に伝達され、前記グローブ２１が振動することにより音声を発することを特徴とした照明装置である。
【００４７】  前記グローブ２１は、アクリル樹脂等のドーム成形体または他の樹脂に於いても或いはガラス等他の素材の成形体に於いても同様に音を発する効果がある。
【００４８】  前記振動伝達部である針金状の直線金属線２０は、撓ませた金属線またはくの字形金属線または他の形状の線状であっても同様の効果がある。
【００４９】（第五実施形態）
図１０は、電気スタンド１のランプソケット３もしくは必要に応じて前記電気スタンド１の適切な任意の位置に前記磁歪アクチュエータ１０を設け、前記電気スタンド１の台座６または必要に応じて任意の位置に前記磁歪アクチュエータ１０の磁歪素子を駆動させるための付帯回路を設け、前記磁歪アクチュエータ１０にて変換された音声振動を効率よく伝達するための振動伝達部である針金状のくの字形金属線２３を前記シェード４または前記グローブ２１のいずれかまたは振動子１１に接触または接合して設けることで、前記磁歪アクチュエータ１０において音声振動として変換された振動は、前記シェード４または前記グローブ２１のいずれかに伝達されて、前記シェード４または前記グローブ２１のいずれかかが振動することにより効率よく音声を発する効果がある。
【００５０】（第六実施形態）
図１１は、請求項４に示す電源供給部の実施形態の一例で、家庭、オフィス、店舗等の天井に設けられたダクトレール電源供給部による実施形態であり、図９に於いて、前記ＬＥＤ照明装置Ａ全体を前記グローブ２１の中に収納した音声発生照明装置をダクトレール用ソケット２５に取り付けることで、前記磁歪アクチュエータ１０において音声振動として変換された振動を前記グローブ２１に伝達され、音声発生照明装置より発生した音は家庭内、オフィス内、店舗内の周囲３６０度で音圧がほぼ均一な音場を形成するため、家庭内、オフィス内、店舗内全体から音が聞こえてくるような効果を得られる。
【００５１】（第七実施形態）
図１２は、請求項４に示す電源供給部の実施形態の一例で、図２に示すＬＥＤ照明装置Ａにおいて電球口金型電源供給部７に替えて電源プラグ型電源供給部２６を設けることで、家庭、オフィス、店舗等の壁、床、天井等に設けられた電源コンセントに差し込むことで，音声発生照明装置より発生した音は家庭内、オフィス内、店舗内の周囲３６０度で音圧がほぼ均一な音場を形成するため、家庭内、オフィス内、店舗内全体から音が聞こえてくるような効果を得られる。
【００５２】（第八実施形態）
請求項４に於いて、電源供給部の他の実施形態での一例で、壁面、床面、天井面、テーブルの上面等々に、電流が流れるコイルに電子機器に取り付けた別のコイルを近づけると接触していなくても電力を送れる電磁誘導と呼ばれる現象を活用した電力伝送シートを設けることで、図１の実施例において前記電気スタンド１の前記台座６の下面に受電側コイルを設けて電力を供給する場合においても同様の電源供給効果が得られる。
【図面の簡単な説明】
【００５３】
【図１】本発明による、照明装置の第一実施形態を示す一部断面説明図。
【図２】本発明による、照明装置の光源の構造を示す一部断面説明図。
【図３】本発明による、照明装置の振動伝達部および伸縮機能のアジャスター構造を示す一部斜視説明図。
【図４】本発明による、照明装置の板状の撓ませた金属線と振動子との接触または接合した部位にキャップを覆い被せて設けた一部断面説明図。
【図５】本発明による、照明装置の図３および図４説明斜視図。
【図６】本発明による、照明装置の第二実施形態を示す一部断面説明図。
【図７】本発明による、照明装置のブロック図。
【図８】本発明による、照明装置の第三実施形態を示す一部断面説明図。
【図９】本発明による、照明装置の第四実施形態を示す一部断面説明図。
【図１０】本発明による、照明装置の第五実施形態を示す一部断面説明図。
【図１１】本発明による、照明装置の第六実施形態を示す一部断面説明図。
【図１２】本発明による、照明装置の第七実施形態を示す一部断面説明図。
【符号の説明】
【００５４】１      電気スタンド
２      電源コード
３      ランプソケット
４      シェード
５      アーム
６      台座
７      電球口金型電源供給部
８      電源回路
９      駆動回路
１０    磁歪アクチュエータ
１１    振動子
１２    筒
１３    ＬＥＤ
１４    板状の撓ませた金属線
１５    音声信号入力端子
１６    音声信号入力コード
１７    アジャスター
１８    アジャスター固定ネジ
１９    キャップ
２０    針金状の直線金属線
２１    グローブ
２２    白熱電球
２３    針金状のくの字形金属線
２４    ダクトレール
２５    ダクトレール用ソケット
２６    電源プラグ型電源供給部
Ａ      ＬＥＤ照明装置
【図１】
2009141924.tif 000003
【図２】
2009141924.tif 000004
【図３】
2009141924.tif 000005
【図４】
2009141924.tif 000006
【図５】
2009141924.tif 000007
【図６】
2009141924.tif 000008
【図７】
2009141924.tif 000009
【図８】
2009141924.tif 000010
【図９】
2009141924.tif 000011
【図１０】
2009141924.tif 000012
【図１１】
2009141924.tif 000013
【図１２】
2009141924.tif 000014